(57)【要約】【課題】タッチパネルセンサに意匠性を付与しながら、タッチセンシングの不良の発生を抑制する。【解決手段】タッチパネル１０は、タッチパネルセンサ１１と、加飾シート２０と、を備える。加飾シート２０は、タッチパネルセンサ１１に重ねられる。加飾シート２０は、互いに離間して配置されている複数の絵柄部２３を有する。【選択図】図３
2019095921.tif 000002
【特許請求の範囲】
【請求項１】
タッチパネルセンサと、
前記タッチパネルセンサに重ねられる加飾シートと、を備え、
前記加飾シートは、互いに離間して配置された複数の絵柄部を有する、タッチパネル。
【請求項２】
前記複数の絵柄部は、互いに１０μｍ以上離間している、請求項１に記載のタッチパネル。
【請求項３】
前記加飾シートは、前記タッチパネルセンサの側から前記絵柄部をそれぞれ覆っている複数の遮光部をさらに有する、請求項１または２に記載のタッチパネル。
【請求項４】
前記加飾シートは、曲面状に形成されている、請求項１乃至３のいずれか一項に記載のタッチパネル。
【請求項５】
前記加飾シートの非被覆率は、５０％以下である、請求項１乃至４のいずれか一項に記載のタッチパネル。
【請求項６】
各絵柄部の最小幅は、５０μｍ以下である、請求項１乃至５のいずれか一項に記載のタッチパネル。
【請求項７】
各絵柄部の最大幅は、５００μｍ以下である、請求項１乃至６のいずれか一項に記載のタッチパネル。
【請求項８】
請求項１乃至７のいずれか一項に記載のタッチパネルと、
前記タッチパネルの前記タッチパネルセンサ側に配置された表示装置と、を備える、タッチパネル付き表示装置。
【請求項９】
前記タッチパネルの非被覆率が２０％以上である、請求項８に記載のタッチパネル付き表示装置。
【請求項１０】
タッチパネルセンサに重ねて用いられる加飾シートであって、
互いに離間して配置されている複数の絵柄部を備える、加飾シート。
【発明の詳細な説明】
【技術分野】
【０００１】
本発明は、タッチパネルセンサに用いられる加飾シート、加飾シートを備えるタッチパネル、および表示装置とタッチパネルとを備えるタッチパネル付き表示装置に関する。
【背景技術】
【０００２】
例えば特許文献１に記載されているような、タッチパネル付き表示装置が知られている。タッチパネルの方式として、例えば静電容量方式が知られている。静電容量方式のタッチパネルは、タッチパネルセンサとして、モザイク状のパターンで配置されたセンサ電極を含む。このセンサ電極に指等の外部導体が接近すると、センサ電極と外部導体との静電結合によってセンサ電極に印加されている電圧が変化する。電圧が変化したセンサ電極の位置が特定されることで、外部導体の位置を検出することができる。
【０００３】
タッチパネルの他の方式として、抵抗膜方式等が知られている。しかしながら、静電容量方式は、抵抗膜方式に比べて、表示装置から出射された画像光の透過率や、タッチパネルの表面硬度の観点から有利である。このため、タッチパネルを利用する場合、静電容量方式のタッチパネルを利用することが望まれている。
【０００４】
また、タッチパネル付き表示装置に意匠性が付与されることが求められている。例えば特許文献１に記載されているタッチパネル付き表示装置では、意匠性を付与するために、画像の非表示領域に意匠性が付与された加飾層が設けられている。
【先行技術文献】
【特許文献】
【０００５】
【特許文献１】特開２０１３−０７３０７５号公報
【発明の概要】
【発明が解決しようとする課題】
【０００６】
ところで、昨今においては、タッチパネル付き表示装置には、単に意匠性が付与されるだけでなく、意匠面における周囲環境との調和も求められている。このため画像の非表示領域だけでなく、画像の表示領域にも意匠性が付与されることもある。
【０００７】
画像の表示領域に意匠性を付与するために、画像の表示領域と重なる位置に、図７に示すような、画像光を透過させるための複数の開口部を有する加飾層を設けることが考えられた。このような加飾層を設けることで、画像の表示状態では開口部から画像光が透過して画像を観察することができ、画像の非表示状態では加飾層の意匠を観察することができる。ところが、このような加飾層を設けると、タッチパネルとしての機能が発揮されなくなる不具合が生じることがあった。すなわち、タッチセンシングの不良が発生することがあった。本件発明者らが鋭意検討したところ、このような不具合は、加飾層に用いられる導電性を有する顔料や銀色層によって、タッチパネルセンサによる外部導体の位置の検出が阻害されることによって生じていることが知見された。
【０００８】
本発明は、このような知見に基づくものであって、タッチパネルに意匠性を付与しながら、タッチセンシングの不良の発生を抑制することを目的とする。
【課題を解決するための手段】
【０００９】
本発明のタッチパネルは、
タッチパネルセンサと、
前記タッチパネルセンサに重ねられる加飾シートと、を備え、
前記加飾シートは、互いに離間して配置された複数の絵柄部を有する。
【００１０】
本発明のタッチパネルにおいて、前記複数の絵柄部は、互いに１０μｍ以上離間していてもよい。
【００１１】
本発明のタッチパネルにおいて、前記加飾シートは、前記タッチパネルセンサの側から前記絵柄部をそれぞれ覆っている複数の遮光部をさらに有してもよい。
【００１２】
本発明のタッチパネルにおいて、前記加飾シートは、曲面状に形成されていてもよい。
【００１３】
本発明のタッチパネルにおいて、前記加飾シートの非被覆率は、５０％以下であってもよい。
【００１４】
本発明のタッチパネルにおいて、各絵柄部の最小幅は、５０μｍ以下であってもよい。
【００１５】
本発明のタッチパネルにおいて、各絵柄部の最大幅は、５００μｍ以下であってもよい。
【００１６】
本発明のタッチパネル付き表示装置は、
上述したいずれかのタッチパネルと、
前記タッチパネルの前記タッチパネルセンサ側に配置された表示装置と、を備える。
【００１７】
本発明のタッチパネル付き表示装置において、前記タッチパネルの非被覆率が２０％以上であってもよい。
【００１８】
本発明の加飾シートは、タッチパネルセンサに重ねて用いられる加飾シートであって、
互いに離間して配置されている複数の絵柄部を備える。
【発明の効果】
【００１９】
本発明によれば、タッチパネルセンサに意匠性を付与しながら、タッチセンシングの不良の発生を抑制することができる。
【図面の簡単な説明】
【００２０】
【図１】図１は、タッチパネル付き表示装置の各要素を概略的に示す分解斜視図である。
【図２】図２は、タッチパネル付き表示装置の一例を示す断面図である。
【図３】図３は、加飾シートの一例を示す正面図である。
【図４】図４は、加飾シートの他の一例を示す正面図である。
【図５】図５は、加飾シートの一変形例を示す断面図である。
【図６】図６は、加飾シートの他の変形例を示す断面図である。
【図７】図７は、従来の加飾シートの一例を示す正面図である。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】
なお、本明細書において、「層」、「シート」及び「フィルム」の用語は、呼称の違いのみに基づいて互いから区別されるものではない。例えば「シート」という用語は、層或いはフィルムと呼ばれ得るような部材も含む概念である。
【００２３】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００２４】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２５】
図１は、本発明による一実施の形態のタッチパネル付き表示装置１を概略的に示す分解斜視図である。図１に示されるように、タッチパネル付き表示装置１は、表示装置５と、タッチパネル１０と、を備えている。タッチパネル１０は、タッチパネル機能を発揮するためのタッチパネルセンサ１１と、タッチパネルセンサ１１に重ねられる加飾シート２０と、を有している。加飾シート２０は、タッチパネルセンサ１１より観察者側に配置されている。
【００２６】
表示装置５は、画像光を出射する装置であり、画像光を出射することができる表示面５ａを有している。表示装置５は、液晶ディスプレイやプラズマディスプレイ、有機ＥＬディスプレイ等の任意の表示装置を用いることができる。このような表示装置５の表示面５ａは、典型的にはガラス面となっている。図１に示すように、表示装置５は、タッチパネル１０のタッチパネルセンサ１１側に配置されている。
【００２７】
タッチパネル１０は、表示装置５にタッチパネル機能を付与する。すなわち、タッチパネル１０は、当該タッチパネル１０上における被検出体が接触または接近した位置を検出することができる。タッチパネル１０の非被覆率は、表示装置５の表示面５ａに表示される画像光を透過させるために、２０％以上となっていることが好ましい。ここで、タッチパネル１０の非被覆率とは、タッチパネル１０のシート面において、後述するタッチパネルセンサ１１のセンサ電極１１ｂおよび加飾シート２０の絵柄部２３によって被覆されていない領域の割合のことを意味する。また、タッチパネル１０は、表示装置５の表示面５ａに、例えば透明な接着層（図示せず）を介して接着されている。
【００２８】
なお、本明細書において、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００２９】
タッチパネルセンサ１１は、本実施の形態において、静電容量方式のタッチパネルに用いられるセンサである。すなわち、タッチパネルセンサ１１は、外部導体が接触または接近した当該タッチパネルセンサ１１上の位置を検出することができる。なお、以降においては、タッチパネルセンサ１１によって検出されるべき外部導体が接触または接近する位置を、単に「外部導体の位置」と表す。
【００３０】
タッチパネルセンサ１１は、透明な基材１１ａと、基材１１ａ上にモザイク状のパターン等で配置された透明なセンサ電極１１ｂと、を含む。タッチパネルセンサ１１は、表示装置５の表示面５ａに重なる位置に設けられている。そして、表示面５ａに重なる位置において、指等の外部導体の位置を検出することができる。このような外部導体の位置を検出する静電容量方式のタッチパネルとして機能し得る限りにおいて、基材１１ａ上における透明なセンサ電極１１ｂの配置は特に限定されない。例えば、センサ電極１１ｂは、基材１１ａのいずれの面に設けられても良いし、基材１１ａの両方の面に設けられてもよい。また、センサ電極１１ｂの基材１１ａ上での配置パターンも特に限定されない。
【００３１】
加飾シート２０は、タッチパネル１０に意匠性を付与する。図２に示すように、加飾シート２０は、基部２１と、基部２１上に設けられた複数の絵柄部２３および複数の遮光部２５と、を有している。図１および図２に示された例では、加飾シート２０の寸法は、表示装置５の表示面５ａの寸法およびタッチパネルセンサ１１の寸法より大きくなっている。加飾シート２０は、表示面５ａおよびタッチパネルセンサ１１の全域だけでなく、表示装置５の表示面５ａ以外の部分であってタッチパネルセンサ１１が設けられていない部分をも覆っている。しかしながら、これに限らず、加飾シート２０のシート面の寸法は、表示面５ａの寸法およびタッチパネルセンサ１１の寸法と同一であり、加飾シート２０は、表示面５ａおよびタッチパネルセンサ１１のみを覆っていてもよい。図３および図４は、加飾シート２０の観察される側、すなわち加飾シート２０の表示装置５に対面しない側における加飾シート２０の正面図である。図３には、加飾シート２０における絵柄部２３の配置の一例が示されており、図４には、加飾シート２０における絵柄部２３の配置の他の一例が示されている。加飾シート２０は、分散して配置された複数の絵柄部２３の組み合わせにより、図形、パターン、デザイン、色彩、絵、写真、キャラクター、マーク、文字や数字などの絵柄を、意匠として表示することができる。特に、タッチパネル付き表示装置１が設けられる周辺環境と調和させることができる意匠として、木目調や大理石調の絵柄を例示することができる。また、加飾シート２０の絵柄部２３によって被覆されていない領域の割合、すなわち非被覆率は、表示装置５の画像非表示状態において、加飾シート２０の意匠を観察者が明確に観察できるよう、５０％以下となっていることが好ましい。
【００３２】
基部２１は、基部２１上に設けられた絵柄部２３および遮光部２５を適切に支持する。基部２１は、透明なフィルム状の部材である。基部２１としては、可視光を透過し、絵柄部２３および遮光部２５を適切に支持し得るものであればいかなる材料でもよいが、例えば、ポリエチレンテレフタレート、ポリエチレンナフタレート、ポリカーボネート、ポリスチレン、環状ポリオレフィン等を挙げることができる。また、基部２１は、可視光透過性や、絵柄部２３および遮光部２５の適切な支持性等を考慮すると、５０μｍ以上１５０μｍ以下の厚みを有していることが好ましい。さらに、図３および図４に示されているように、基部２１は、タッチパネル１０の最表面を形成する場合、タッチパネルセンサ１１や絵柄部２３を保護するための保護部材として機能してもよい。
【００３３】
複数の絵柄部２３は、それぞれ加飾シート２０が表示する絵柄の一部を表示する。複数の絵柄部２３は、全体として加飾シート２０が表示する絵柄を形成する。各絵柄部２３は、絵柄の表示のために顔料を含んでいる。顔料としては、例えばカーボンブラックやチタンブラックを例示できる。カーボンブラックやチタンブラックには導電性材料が含まれる。すなわち、絵柄部２３は、導電性材料を含み得る。
【００３４】
また、図３および図４によく示されているように、各絵柄部２３は、互いに離間して配置されている。すなわち、各絵柄部２３は、互いに接しておらず、独立している。したがって、導電性を含み得る顔料を含んだ複数の絵柄部２３は、互いに電気的に絶縁された状態で、設けられている。具体的には、各絵柄部２３は、互いに１０μｍ以上離間している。すなわち、図３及び図４に示された各絵柄部２３の間の距離Ｄは、１０μｍ以上である。また、各絵柄部２３の最小幅Ｗ１は、１０μｍ以上５０μｍ以下である。さらに、各絵柄部２３の最大幅Ｗ２は、５０μｍ以上５００μｍ以下である。ここで、最小幅とは、任意の方向に沿った絵柄部２３の長さのうち、最小となる長さのことを意味し、最大幅とは、任意の方向に沿った絵柄部２３の長さのうち、最大となる長さのことを意味する。なお、図３に示された例では、絵柄部２３が円形に形成されているため、絵柄部２３の最小幅Ｗ１と最大幅Ｗ２とは、同一になっている。また、絵柄部２３の厚さＴ１は、例えば２μｍ以上１０μｍ以下である。なお、図２において、絵柄部２３の断面形状は、矩形となっているが、これに限らず、台形形状等であってもよい。
【００３５】
遮光部２５は、図２に示すように、タッチパネルセンサ１１の側から各絵柄部２３を覆っている。各遮光部２５は、いずれか一つの絵柄部２３に対応して設けられている。各遮光部２５は、対応する絵柄部２３とタッチパネルセンサ１１との間に配置されている。結果として、各遮光部２５は、対応する絵柄部２３を、表示装置５の表示面５ａから覆っている。好ましくは、遮光部２５は、絵柄部２３に対面する位置にのみ設けられている。遮光部２５は、表示装置５からの画像光が絵柄部２３に入射しないよう、光を吸収する機能を有している。遮光部２５は、例えば光吸収粒子をバインダー樹脂中に含み得る。光吸収粒子としては、カーボンブラックやチタンブラック等の黒色顔料を例示することができる。また、遮光部２５の厚さＴ２は、例えば５μｍ以上１０μｍ以下とすることができる。
【００３６】
透過部２７は、加飾シート２０の正面からの観察において、絵柄部２３が形成されていない部分であり、表示装置５の画像光を透過させることができる部分である。なお、透過部２７は、例えば透明な樹脂によって形成されてもよい。さらに、透明な樹脂によって形成された透過部２７は、絵柄部２３および遮光部２５を覆うようにしてもよい。このような透過部２７は、絵柄部２３および遮光部２５を保護する透明な保護膜として機能することができる。
【００３７】
次に、タッチパネル１０および加飾シート２０の作用について、説明する。
【００３８】
表示装置５の表示面５ａに画像を表示した状態では、画像光は、タッチパネル１０のタッチパネルセンサ１１および加飾シート２０の透過部２７を透過し、外部の観察者に観察される。加飾シート２０の絵柄部２３が互いに十分に離間して配置されていることで、画像光が透過する透過部２７を十分に大きくすることができる。すなわち、画像光が加飾シート２０を十分に透過することができる。具体的には、タッチパネルセンサ１１および加飾シート２０を含むタッチパネル１０の非被覆率は、２０％以上となっていることが好ましい。このため、観察者は、十分な明るさの画像光を観察することができる。
【００３９】
また、絵柄部２３は、それぞれ遮光部２５によってタッチパネルセンサ１１の側、すなわち表示装置５の側から覆われている。したがって、遮光部２５によって、画像光が絵柄部２３へ入射することが妨げられる。このため、絵柄部２３を画像光が透過して、絵柄部２３によって表される意匠と画像光とが混合して観察されることを防止することができる。すなわち、絵柄部２３で特定波長域の可視光が吸収されることに起因して画像の色再現性が劣化することを効果的に防止することができる。さらに、遮光部２５が絵柄部２３に対面する位置にのみ設けられている場合、遮光部２５によって透過部２７を透過する画像光が妨げられることが防止される。すなわち、画像光を効率的に利用して、画像を明るく表示することができる。
【００４０】
なお、加飾シート２０の絵柄部２３は、透過部２７を透過する画像光が十分な明るさを有していると極めて観察されにくい。特に、絵柄部２３の最小幅が十分に小さくなっていると、各絵柄部２３は、各絵柄部２３の間の透過部２７を透過する画像光によって、極めて認識されにくくなる。したがって、外部の観察者は、絵柄部２３を認識することなく、画像光によって形成される画像のみを観察することができる。
【００４１】
一方、表示装置５の表示面５ａに画像を表示しない状態では、加飾シート２０の意匠が観察者に観察される。加飾シート２０は、タッチパネルセンサ１１に重ねられており、タッチパネルセンサ１１は、表示装置５の表示面５ａに重なる位置に設けられている。したがって、表示面５ａに重なる位置において、加飾シート２０の意匠が観察される。加飾シート２０の意匠を観察者が明確に観察できるよう、加飾シートの非被覆率は、５０％以下となっていることが好ましい。特に、遮光部２５が絵柄部２３に対面する位置にのみ設けられている場合、遮光部２５が観察者に観察されず、遮光部２５によって加飾シート２０の意匠性が害されることが防止される。
【００４２】
ところで、上述したように、従来のタッチパネルでは、タッチパネル付き表示装置の表示面に重なる位置に加飾層（加飾シート）を設けると、タッチセンシングの不良が発生することがあった。
【００４３】
加飾シートが設けられているタッチパネルにおいては、導電性材料を含む絵柄部とタッチパネルセンサに含まれるセンサ電極との静電結合が生じている。このようなタッチパネルに外部導体が接近すると、絵柄部がセンサ電極より外部導体に近いため、センサ電極と外部導体との静電結合より、絵柄部と外部導体との静電結合が強く生じる。また、絵柄部と外部導体との静電結合によって、センサ電極と絵柄部との静電結合が変化する。
【００４４】
図７に示されている従来の加飾シート１２０は、意匠を表示する絵柄部１２３と、画像光を透過させる透過部１２７と、を有している。絵柄部１２３は、加飾シート１２０のシート面全体に設けられている。透過部１２７は、絵柄部１２３に設けられた複数の開口部として設けられている。すなわち、絵柄部１２３は、加飾シート１２０の全体で接続されている。また、絵柄部１２３には、例えばカーボンブラックのような導電性材料が含まれている。
【００４５】
従来の加飾シート１２０では、絵柄部１２３は加飾シート１２０の全体で接続されているため、絵柄部１２３と外部導体との静電結合は、絵柄部１２３の全体にわたって同一に生じる。このため、センサ電極と絵柄部１２３との静電結合は、絵柄部１２３と重なっている部分の全体にわたって同一に変化する。したがって、センサ電極に印加されている電圧は、絵柄部１２３と重なっている部分の全体で同一に変化する。電圧が変化したセンサ電極の位置が絵柄部１２３と重なっているセンサ電極の全てであると特定されるので、センサ電極によって検出される外部導体の位置は、絵柄部１２３と重なっている部分の全体となる。このように、従来の加飾シート１２０が設けられているタッチパネルでは、外部導体の位置を正しく検出することができない。すなわち、従来の加飾シート１２０がタッチパネルに設けられると、加飾シート１２０の絵柄部１２３に含まれる導電性材料によってタッチパネルセンサによる外部導体の位置の検出が阻害されて、タッチセンシング不良が生じていた。
【００４６】
一方、本実施の形態のタッチパネル１０では、図３および図４に示されているように、絵柄部２３は、互いに離間して配置されている。絵柄部２３が互いに十分に離間して配置されていると、導電性材料を含む絵柄部２３と外部導体との静電結合は、各絵柄部２３でそれぞれ独立して生じる。このため、センサ電極１１ｂと絵柄部２３との静電結合は、加飾シート２０の絵柄部２３ごとに独立して変化する。したがって、センサ電極１１ｂに印加されている電圧は、絵柄部２３ごとに変化する。電圧が変化したセンサ電極１１ｂの位置が絵柄部２３と重なっているセンサ電極１１ｂごとに特定されるので、センサ電極１１ｂによって検出される検出位置は、各絵柄部２３と重なっている部分ごととなる。すなわち、検出位置と外部導体の実際の位置との誤差は、最大でも各絵柄部２３の幅程度となる。言い換えると、タッチパネルセンサ１１は、少なくとも各絵柄部２３と重なっている部分を最小単位として、外部導体の位置を検出することができる。そして、上述したように、各絵柄部２３の最大幅Ｗ２が５００μｍ以下となっている場合には、タッチパネル１０としての機能を十分に奏することができる。このように、本実施の形態のタッチパネル１０では、導電性材料を含む絵柄部２３を有する加飾シート２０によって意匠性を付与しても、タッチセンシングの不良の発生を抑制することができる。特に、本実施の形態では、絵柄部２３の最大幅を十分に小さくしておくことで、検出位置と外部導体の位置との誤差を小さくすることができる。すなわち、タッチパネル１０によって外部導体の位置を十分に正しく検出することができる。
【００４７】
以上のように、本実施の形態のタッチパネル１０は、タッチパネルセンサ１１と、タッチパネルセンサ１１に重ねられる加飾シート２０と、を備え、加飾シート２０は、互いに離間して配置されている複数の絵柄部２３を有する。このようなタッチパネル１０によれば、少なくとも各絵柄部２３と重なっている部分を最小単位として、外部導体の接触または接近を判断することが可能となる。したがって、タッチパネルセンサ１１に加飾シート２０が重ねて配置されていても、タッチパネル１０としての機能を奏することができる。すなわち、タッチパネルセンサ１１に意匠性を付与しながら、タッチセンシングの不良の発生を抑制することができる。とりわけ、複数の絵柄部は、互いに１０μｍ以上離間していると、絵柄部２３と外部導体との静電結合は、より確実に各絵柄部２３でそれぞれ独立して生じることになり、タッチパネルセンサ１１によって検出される検出位置を、より確実にタッチパネル１０としての機能を奏することができる。
【００４８】
また、本実施の形態のタッチパネル１０において、加飾シート２０は、タッチパネルセンサ１１の側から絵柄部２３をそれぞれ覆っている複数の遮光部２５をさらに有する。このようなタッチパネル１０によれば、遮光部２５によって、画像光が絵柄部２３へ入射することが妨げられ、絵柄部２３によって表される意匠と混合した画像光が観察されることを防止することができる。
【００４９】
さらに、本実施の形態のタッチパネル１０において、加飾シート２０の非被覆率は、５０％以下である。このようなタッチパネル１０によれば、観察者は、加飾シート２０の意匠を明確に観察することができる。
【００５０】
また、本実施の形態のタッチパネル１０において、各絵柄部２３の最小幅は、５０μｍ以下である。このようなタッチパネル１０によれば、各絵柄部２３は、各絵柄部２３の間の透過部２７を透過する画像光によって極めて認識されにくくなり、観察者は、絵柄部２３を認識することなく、画像光のみを観察することができる。
【００５１】
さらに、本実施の形態のタッチパネル１０において、各絵柄部２３の最大幅は、５００μｍ以下である。このようなタッチパネル１０によれば、タッチパネルセンサ１１による検出位置と実際の外部導体の位置との誤差を小さくすることができる。すなわち、タッチパネル１０によって外部導体の位置を十分に正しく検出することができる。
【００５２】
また、本実施の形態のタッチパネル１０の非被覆率は、２０％以上である。このようなタッチパネル１０によれば、タッチパネル１０を透過する表示装置５からの画像光を、十分な明るさで観察することができる。
【００５３】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００５４】
上述した実施の形態では、加飾シート２０は、平板状に形成されていた。しかしながら、例えば、図５に示すように、加飾シート２０は、曲面状に形成されていてもよい。加飾シート２０の絵柄部２３が互いに離間して配置されているため、加飾シート２０を曲面状に形成しても、絵柄部２３に変形が生じにくく、加飾シート２０で表示する意匠を適切に表示することができる。すなわち、図７に示すような従来の加飾シート１２０と比較して、加飾シート２０は、曲面状に形成されることに適している。
【００５５】
また、上述した実施の形態において、加飾シート２０は、図６に示すように、複数の絵柄部２３と遮光部２５との間のそれぞれに設けられた遮蔽部２４をさらに有していてもよい。遮蔽部２４は、絵柄部２３の意匠性が遮光部２５によって害されることを避けるために設けられる。すなわち、遮蔽部２４は、絵柄部２３と遮光部２５とが混色して観察されることを防止するために設けられる。したがって、遮蔽部２４は、絵柄部２３との混色により絵柄部２３の意匠性を害さない色を有しており、例えば混色を避けやすい白色または銀色であることが好ましい。このような遮蔽部２４の厚さＴ３は、例えば２μｍ以上６μｍ以下である。このような遮蔽部２４もまた、導電性材料を含んでいてもよい。例えば、遮蔽部２４は、アルミニウム箔であり得る。
【００５６】
上述した実施の形態において、タッチパネル１０は、静電容量方式のタッチパネルとして示されている。しかしながら、タッチパネルセンサと上述した加飾シート２０とを有するタッチパネルは、タッチパネルセンサを適宜に変更することで、その他の方式のタッチパネルとしても使用することができる。
【符号の説明】
【００５７】
１    タッチパネル付き表示装置
５    表示装置
５ａ  表示面
１０    タッチパネル
１１    タッチパネルセンサ
１１ａ  基材
１１ｂ  センサ電極
２０    加飾シート
２１    基部
２３    絵柄部
２４    遮蔽部
２５    遮光部
２７    透過部
【図１】
2019095921.tif 000003
【図２】
2019095921.tif 000004
【図３】
2019095921.tif 000005
【図４】
2019095921.tif 000006
【図５】
2019095921.tif 000007
【図６】
2019095921.tif 000008
【図７】
2019095921.tif 000009